(57)【要約】【課題】遮断性能に優れ、小形で低コストのガス遮断器を提供する。【解決手段】熱パッファ室内に流入するアークガスを案内して熱パッファ室内の絶縁媒体と攪拌混合させるフローガイド装置を備えたガス遮断器であり、フローガイド装置は、ノズルの形状を滑らかにしたもの、熱パッファ室内でアークガスの流れを偏向案内して渦を発生させる偏向板を備えている。また、熱パッファ室内で攪拌混合を促進させる突起等の擾乱発生装置を備えたり、アークガスの熱によって蒸発し、パッファ室内の圧力を上昇させる蒸気発生材料を備えることもできる。偏向板を逆止弁のストッパとした。【選択図】　　　　図１
2004039440.tif 000002
【特許請求の範囲】
【請求項１】
絶縁媒体が充填された密閉タンクと、上記密閉タンク内に設けられた固定接触子と、上記固定接触子に離接する可動接触子と、上記可動接触子に設けられて、開離時に上記固定接触子との間に形成されるアーク領域に望むアークガス流路を有し、上記アーク領域に発生するアークガスを上記アークガス流路を通して受け入れ、蓄え、電流零点でアークに吹き付ける熱パッファ室を形成する熱パッファ装置と、上記熱パッファ装置に対して相対移動可能であって、上記熱パッファ装置に隣接して上記可動接触子の開閉動作に応じて容積が変化する機械パッファ室を形成する機械パッファ装置とを備えたガス遮断器に於いて、
上記熱パッファ装置の上記アークガス流路を通って上記熱パッファ室内に流入するアークガスを案内して上記熱パッファ室内の上記絶縁媒体と攪拌混合させるフローガイド装置を備えたことを特徴とするガス遮断器。
【請求項２】
上記フローガイド装置が、上記熱パッファ装置の上記アークガス流路近傍で上記可動接触子に固着されて、上記可動接触子のアークコンタクトに沿って延びて、上記アークガス流路の内側表面を形成する滑らかな表面を持つ第１のフローガイドを備えたことを特徴とする請求項１記載のガス遮断器。
【請求項３】
上記第１のフローガイドが、上記熱パッファ装置に設けられたノズル部材と協働して上記アークガス流路を形成するように、上記滑らかな表面が、上記ノズル部材の内周面に対向して設けられたことを特徴とする請求項２記載のガス遮断器。
【請求項４】
上記フローガイド装置が、上記熱パッファ装置の上記熱パッファ室内に設けられ、上記アークガス流路から流入してきたアークガスを案内して上記熱パッファ室内で上記攪拌混合を促進させるフローガイドを備えたことを特徴とする請求項１乃至３のいずれか一項記載のガス遮断器。
【請求項５】
上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記可動接触子上に設けられ、湾曲した断面を持つ環状の偏向板である第２のフローガイドを備えたことを特徴とする請求項４項記載のガス遮断器。
【請求項６】
上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記円筒壁上に設けられ、湾曲した断面を持つ環状の偏向板である第３のフローガイドを備えたことを特徴とする請求項４項記載のガス遮断器。
【請求項７】
上記熱パッファ装置は上記ピストン壁に逆止弁を有し、上記偏向板は、上記逆止弁の最大許容行程以上の移動を制限する位置に設けられていることを特徴とする請求項５あるいは６項記載のガス遮断器。
【請求項８】
上記熱パッファ装置に設けられて、上記熱パッファ装置の上記熱パッファ室内で上記アークガスの流れに擾乱を発生させて、上記熱パッファ室内で上記攪拌混合を促進させる擾乱発生装置を備えたことを特徴とする請求項１乃至７のいずれか一項記載のガス遮断器。
【請求項９】
上記熱パッファ装置に設けられて、上記熱パッファ装置の上記熱パッファ室内で上記アークガスの熱によって蒸発し、パッファ室内の圧力を上昇させる蒸気発生材料を備えたことを特徴とする請求項１乃至８のいずれか一項記載のガス遮断器。
【発明の詳細な説明】
【０００１】
【発明の属する技術分野】
本発明はガス遮断器に関し、特に、電気回路を大地電位から絶縁する機能、閉路状態では負荷電流を通電する機能並びに健全時および事故時の電流を遮断し、更に遮断後に遮断器極間に加わる電圧に耐える機能を有し、電気回路を開閉するガス遮断器に関するものである。
【０００２】
【従来の技術】
現在７２ｋＶ以上の高圧送電系統において主に用いられている単一圧力式ガス遮断器は、操作装置による機械的な力によって消弧性ガスで満たされた容器内にあるガスの一部を開極動作とともに圧縮して圧力を高め、それをコンタクト間に発生するアークに吹き付けて消弧する機械パッファ方式が主流である。最近この機械パッファ方式に、極間のアークエネルギーを取り込むことによって吹き付けるガスの圧力を高める作用を実現する熱パッファ方式を組み合わせて、要求される機械的な駆動エネルギーを低減させる熱パッファ併用形のガス遮断器が実用化されてきている。このような熱パッファ・機械パッファ併用形消弧室の構造と動作について、図５および図６に示す特公平７−１０９７４４号公報に記載されているガス遮断器の例を用いて説明する。ここで図５はガス遮断器の閉極状態を示し、図６は開極状態を表している。
【０００３】
図５および図６において、熱パッファ・機械パッファ併用形の消弧室は、消弧性ガスで満たされた図示しない容器中に、固定接触子２０、可動接触子２１、可動接触子支持部２２が同一軸線上に配置されて構成されている。固定接触子２０は固定アークコンタクト１とその周囲に配置された固定通電コンタクト２から構成されている。可動接触子２１は、中空のピストンロッド８と、ピストンロッド８の先端部に接続された中空の可動アークコンタクト４と、可動アークコンタクト４の周囲に配置され一端がピストンロッド８に機械的に固着されもう一端が可動通電コンタクト５となっているパッファピストン６と、パッファピストン６の可動通電コンタクト５側に固着し可動アークコンタクト４の周囲に配置された絶縁性のノズル３とを備えている。可動接触子支持部２２は、支持筒１６と、これに固着されピストンロッド８の周囲にあって、端部に上記ピストンロッド８と摺動可能な仕切り板部１１ａを有し、パッファピストン６の円筒部と電気的に接触しながら摺動可能な摺動接触部を有する摺動通電シリンダ１１から構成されている。
【０００４】
上記パッファピストン６の内径とピストン部６ａと可動アークコンタクト４の外径によって熱パッファ室７が形成され、摺動通電シリンダ１１の内径と仕切り板部１１ａとピストンロッド８の外径とパッファピストン６のピストン部６ａとで、機械パッファ室１２が形成される。熱パッファ室７は容積が変化しないが、機械パッファ室１２は可動接触子２１の位置によってその容積が変化する。パッファピストン６のピストン部６ａには熱パッファ室７から機械パッファ室１２へのガス流が制限され、その反対方向のガス流は制限されない熱パッファ室逆止弁１７が、また、仕切り板部１１ａには機械パッファ室１２から支持筒１６内へのガス流が制限され、その反対方向のガス流は制限されない機械パッファ室逆止弁１９が配置されている。
【０００５】
支持筒１６の側面には支持筒連通口１４を有し、支持筒１６内のガス空間が外部と連通するようになっている。ピストンロッド８の側面には、可動接触子部２１が投入位置から遮断位置の間のどの位置に有ってもピストンロッド８の中空部分１５が支持筒１６内と連通するような位置にピストンロッド連通口９が形成されている。これにより、ピストンロッド中空部１５は可動接触子２１の位置に係わらず常に外部ガス空間と連通している。
【０００６】
この図５の構成において、可動接触子２１は、図示しない操作装置の発生する駆動力によって軸方向に直線的に往復運動するように構成されている。図５に示す閉極状態においては、可動アークコンタクト４と可動通電コンタクト５とがそれぞれ固定アークコンタクト１と固定通電コンタクト２とに接触し、可動接触子支持部２２と固定接触子２０との間を通電させている．
【０００７】
電流遮断時には可動接触子２１の移動によってまず可動通電コンタクト５と固定通電コンタクト２とが開いて遮断電流をアークコンタクト接触部に転流させ、次いで可動アークコンタクト４と固定アークコンタクト１とが開いて両アークコンタクト間にアークが発生する。
【０００８】
電流が大きい場合、アーク周辺のガスはアークエネルギーにより加熱され圧力が上昇し、その一部がノズル３、あるいはピストンロッド中空部１５、ピストンロッド連通口９、支持筒連通口１４を通って外部ガス空間に流出すると同時に、熱パッファ室７へ流入し、これによって熱パッファ室７の圧力が上昇する。熱パッファ室７内のガスは圧力差により機械パッファ室１２に流れ込もうとするが、熱パッファ室逆止弁１７が閉じるため熱パッファ室７と機械パッファ室１２の連通がなくなる。電流が零点に近づいてくるとアーク周辺の加熱が減少するので圧力が下がり、熱パッファ室７内に高い圧力で蓄えられていたガスがノズル３を経てアークに吹き付けられ電流を遮断する。
【０００９】
電流が小さい場合、アーク周辺のガスはあまり加熱されず、熱パッファ室７の圧力が十分に上昇しない。このため、遮断動作により圧縮された機械パッファ室１２の圧力上昇が熱パッファ室７の圧力上昇を上回り、機械パッファ室１２から熱パッファ室７へのガス流れのために熱パッファ室逆止弁１７が開いて、機械パッファ室１２内のガスが熱パッファ室７、ノズル３を通ってアークコンタクト間のアークに吹き付けられ電流を遮断する。
【００１０】
投入時には可動接触子部２１の移動に伴い機械パッファ室１２の容積が拡大するため、機械パッファ室１２内の圧力が低下しようとする。これに対し熱パッファ室７の圧力は低下しないので熱パッファ室逆止弁１７は閉じるが、機械パッファ室逆止弁１９が開いて外部空間のガスが支持筒連通口１４および機械パッファ室逆止弁１９を通って機械パッファ室１２内に導入される。
【００１１】
【発明が解決しようとする課題】
このような熱パッファ・機械パッファ形消弧室を備えたガス遮断器においては、大電流を遮断する場合、アーク周辺のガスがアークエネルギーにより加熱され圧力が上昇し、その一部が熱パッファ室７に流入し、これによって熱パッファ室７の圧力が上昇し、電流零点で熱パッファ室７に高圧で蓄えられていたガスがノズル３を経てアークに吹き付けられ電流を遮断する。このときアークに吹き付けるガスの温度は低いほど冷却効果が高くアーク消弧性能に優れる。しかしながら、従来の熱パッファ室７へのガス流入経路は、熱パッファ装置７内でのアークガスの攪拌・混合について考慮されていなかった点で形状が必ずしも適切ではない。このため、熱パッファ室７に流入した熱ガスと、熱パッファ室７内に元々ある冷たいガスとの攪拌・混合による冷却が効率的に行われていないという問題点があった。
【００１２】
従って、この発明の目的は、上述のような従来のガス遮断器の課題を解決することであり、また熱パッファ室内での熱ガスと冷たいガスとの攪拌・混合を効率的にかつ積極的に行なわせることにより、従来よりも小形の熱パッファ室で従来と同様の遮断性能を得ることができ、小形・低コストのガス遮断器を得ることである。
【００１３】
【課題を解決するための手段】
この発明によれば、上述の課題を解決するための手段は次の通りである。
（１）絶縁媒体が充填された密閉タンクと、上記密閉タンク内に設けられた固定接触子と、上記固定接触子に離接する可動接触子と、上記可動接触子に設けられて、開離時に上記固定接触子との間に形成されるアーク領域に望むアークガス流路を有し、上記アーク領域に発生するアークガスを上記アークガス流路を通して受け入れ、蓄え、電流零点でアークに吹き付ける熱パッファ室を形成する熱パッファ装置と、上記熱パッファ装置に対して相対移動可能であって、上記熱パッファ装置に隣接して上記可動接触子の開閉動作に応じて容積が変化する機械パッファ室を形成する機械パッファ装置とを備えたガス遮断器に於いて、上記熱パッファ装置の上記アークガス流路を通って上記熱パッファ室内に流入するアークガスを案内して上記熱パッファ室内の上記絶縁媒体と攪拌混合させるフローガイド装置を備えたことを特徴とするガス遮断器。
【００１４】
（２）上記フローガイド装置が、上記熱パッファ装置の上記アークガス流路近傍で上記可動接触子に固着されて、上記可動接触子のアークコンタクトに沿って延びて、上記アークガス流路の内側表面を形成する滑らかな表面を持つ第１のフローガイドを備えたものでもよい。
【００１５】
（３）上記第１のフローガイドが、上記熱パッファ装置に設けられた絶縁ノズルと協働して上記アークガス流路を形成するように、上記滑らかな表面が、上記絶縁ノズルの内周面に対向して設けられたものでもよい。
【００１６】
（４）上記フローガイド装置が、上記熱パッファ装置の上記熱パッファ室内に設けられ、上記アークガス流路から流入してきたアークガスを案内して上記熱パッファ室内で上記攪拌混合を促進させるフローガイドを備えたものでもよい。
【００１７】
（５）上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記可動接触子上に設けられ、湾曲した断面を持つ環状の偏向板である第２のフローガイドであってもよい。
【００１８】
（６）上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記円筒壁上に設けられ、湾曲した断面を持つ環状の偏向板である第３のフローガイドであってもよい。
【００１９】
（７）上記熱パッファ装置は上記ピストン壁に逆止弁を有し、上記偏向板は、上記逆止弁の最大許容行程以上の移動を制限する位置に設けられていてもよい。
【００２０】
（８）上記熱パッファ装置に設けられて、上記熱パッファ装置の上記熱パッファ室内で上記アークガスの流れに擾乱を発生させて、上記熱パッファ室内で上記攪拌混合を促進させる擾乱発生装置を備えたものでもよい。
【００２１】
（９）上記熱パッファ装置に設けられて、上記熱パッファ装置の上記熱パッファ室内で上記アークガスの熱によって蒸発し、パッファ室内の圧力を上昇させる蒸気発生材料を備えたものでもよい。
【００２２】
【発明の実施の形態】
実施の形態１．
図１および図２は、本発明によるガス遮断器の第１の実施の形態を示し、図１はガス遮断器の閉極状態を示し、図２はガス遮断器の開極状態を示している。図１および図２において、本発明によるガス遮断器は、消弧性ガスで満たされた図示しない容器中に、固定接触子２０、可動接触子２１、可動接触子支持部２２が同一軸線上に配置されており、固定接触子２０および可動接触子支持部２２の構成並びに可動接触子２１の基本構造は図５および図６に示すものと同様であるので、ここでは詳細な説明を繰り返さない。
【００２３】
ガス遮断器は、可動接触子２１に設けられた熱パッファ室３１を形成する熱パッファ装置３２を備えている。熱パッファ室３１は、開離時に固定接触子２０と可動接触子２１との間、詳しく言えば固定アークコンタクト１と可動アークコンタクト４との間に形成されるアーク領域３３に望むアークガス流路開口３４を有している。熱パッファ室３１は、このアークガス流路開口３４を通してアーク領域３３に発生するアークガスを受け入れ、蓄え、電流零点でアークに吹き付けるものである。ガス遮断器はまた、熱パッファ装置３２に対して相対移動可能であって、熱パッファ装置３２に隣接して可動接触子２１の開閉動作に応じて容積が変化する機械パッファ室３５を形成する機械パッファ装置３６も備えている。
【００２４】
この発明のガス遮断器に於いては、熱パッファ装置３２は、中空のピストンロッド８と、ピストンロッド８の端部に機械的に接続されて環状に並べて配置された複数のフィンガーからなる可動アークコンタクト４と、可動アークコンタクト４の外周を覆うようにピストンロッド８の先端部に取り付けられた第１ノズル部材３７とを備えている。この第１ノズル部材３７は、ほぼ中空円筒形で可動アークコンタクト４の外周を覆う円筒部３８と、先端で可動アークコンタクト４の先端部に沿って固定アークコンタクト１に向かって延びた口唇部３９とを備えている。
【００２５】
熱パッファ装置３２にはまた、パッファピストン６の先端部に固着された第２ノズル部材４０が設けられていて、ピストンロッド８、第１ノズル部材３７、パッファピストン６および第２ノズル部材４０により熱パッファ室３１が形成されている。第２ノズル部材４０は、固定アークコンタクト１に沿って移動し、固定アークコンタクト１と可動アークコンタクト４との間のアーク領域３３に発生したアークに消弧ガスを吹き付けるためのノズル部４１と、第１ノズル部材３７の外周面に沿って延びてパッファピストン６に固着され、第１ノズル部材３７との間に環状のアークガス流路開口３４を形成する本体部４２とを持っている。
【００２６】
このように、この発明によれば、上述の第１ノズル部材３７と第２ノズル部材４０とが協働して間にアークガス流路開口３４が形成され、熱パッファ室３１内に流入するアークガスが、熱パッファ室３１内で絶縁媒体と十分に攪拌混合されるように、このアークガス流路開口３４によって案内される。この意味で第１ノズル部材３７と第２ノズル部材４０とはフローガイド装置を構成し、第２ノズル部材４０と共にこのアークガス流路開口３４を形成する第１ノズル部材３７は第１フローガイドである。この第１フローガイドは、熱パッファ装置３２の熱パッファ室３１のアークガス流路開口３４近傍で可動接触子２１のアークコンタクト４に固着されて（ピストンロッド８に固着しても良い）、アークコンタクト４に沿って延びて、アークガス流路開口３４の内側表面の一部を形成する滑らかな表面を持っている。また、この第１ノズル部材３７の滑らかな表面は第２ノズル部材４０と協働してアークガスを効率良く流すアークガス流路開口３４を形成するように、第２ノズル部材４０の内周面に対向して設けられている。アークガス流路開口３４はアーク領域３３に対して環状に開いており、そこから径方向外側に円板状に延び、第１ノズル部材３７の外表面に沿って滑らかに曲げられて第１ノズル部材３７の円筒部３８に沿って軸方向に円筒状に延びて熱パッファ室３１内に連通している。
【００２７】
本発明のガス遮断器には更に、フローガイド装置として、熱パッファ装置３２の熱パッファ室３１内のアークガス流路開口３４から見て軸方向奥深くに設けられ、アークガス流路開口３４に案内されて熱パッファ室３１内で第１ノズル部材３７に沿って軸方向に流れてきたアークガスを偏向させて、径方向外向きに流れるように案内する第２のフローガイド４３である偏向板を備えている。この第２のフローガイド４３は、断面がほぼＪ字型に湾曲された環状の板部材であって、その円筒部分４４がピストンロッド８の円筒面に形成された段部８ａに係合され、湾曲部分４５がピストンロッド８から径方向外側に向かって立ち上がっている。熱パッファ室３１内でアークガスの流れを導いて、アークガスと元々熱パッファ室３１内に入っていた比較的低温の絶縁ガスとの攪拌混合を促進させ、アークに吹き付けるガスの温度を低くすることができる。このように、第２のフローガイド４３は、ピストン壁６ａ近傍で可動接触子２１のピストンロッド８上に設けられ、湾曲した断面を持つ環状の偏向板４３である。
【００２８】
先に図５および図６に関連して説明したのと同様に、熱パッファ装置３２のパッファピストン６のピストン壁６ａには、熱パッファ室３２から機械パッファ室１２へのガス流を制限し、その反対方向のガス流は制限しない熱パッファ室逆止弁１７が設けられている。この熱パッファ室逆止弁１７は、ピストン壁６ａに形成された複数の弁孔１７ａと、弁孔１７ａを開閉する平坦な環状板である弁体１７ｂとを備えているが、上に説明した偏向板である第２のフローガイド４３は、逆止弁１７の最大許容行程以上の移動を制限する位置に設けられていて、それ以上に弁体１７ｂが移動してしまわぬようにしてある。
【００２９】
本発明のガス遮断器において、アーク領域３３から熱パッファ室３１に流入するアークガスの流れは、図２に矢印Ａで示すように、第１および第２のノズル部材３７および４０の間に形成されたアークガス流路開口３４を通って熱パッファ室３１内に入る。このとき、アークガスの流れは、第２のノズル部材４０と協働する第１ノズル部材３７を備えたフローガイド装置により案内されることになる。熱パッファ室３１に流入したアークガスは第１ノズル部材４０に沿ってほぼ軸方向に流れ、やがて第２のフローガイドである偏向板４３に衝突して矢印Ｂで示すように径方向外向きに方向を変えられてピストン壁６ａに沿って流れ、更にパッファピストン６の円筒壁６ｃに沿って軸方向に逆向きに流れ、熱パッファ室３１内全体に広がる渦の発生が促進されることにより、熱パッファ室３１内に元々あった冷たいガスとの混合による冷却が効率的に行われる。このため、熱パッファ室３１内全体のガス温が下がり、電流零点でアークに吹き付けられるガス流の温度が下がり、遮断性能が向上する。また遮断性能の向上を図ることができるため、従来より小形の熱パッファ室で従来と同等の遮断性能を有することができ、従来よりも小形で低コストの遮断器を得ることができる。
【００３０】
実施の形態２．
図３に示す本発明のガス遮断器の別の実施形態では、図１および図２に示すガス遮断器と比較すると、熱パッファ室３１のパッファピストン６の円筒壁６ｃの内面にも、第２のフローガイド４３である偏向板と同様の第３のフローガイドである偏向板４４が設けられている。偏向板４４が偏向板４３と相違する点は、Ｊ字型の向きが異なり、偏向板４３によって矢印Ｂで示すように案内されたガスの流れが、偏向板４４である第３のフローガイドによって矢印Ｃで示すように、パッファピストン６の円筒壁６ｃの内周面に沿って軸方向になるようにされていることである。この第３のフローガイド４４により、ガスの渦形成がより一層促進される。
【００３１】
図３に示す本発明のガス遮断器は更に、熱パッファ装置３２のパッファピストン６の円筒壁６ｃの内面に分散して設けられて、熱パッファ室３１内でそこまで案内されてきたアークガスの流れに擾乱を発生させて、ガスの攪拌混合を促進させる擾乱発生装置４５を備えている。図示の例では擾乱発生装置４５は、パッファピストン６の円筒壁６ｃの内面に設けた複数個の半球状の突起であり、この上を通過させることにより、ガス流れに撹乱を形成させ冷却を促進させるようにしたものである。このようなガス遮断器に於いては、電流零点近傍でアークに吹き付けられるガス流の温度をより低くすることができ、遮断性能の向上を図ることができるため、従来より小形の熱パッファ室で従来と同等の遮断性能を有することができる、より小形で低コストの遮断器を得ることができる。
【００３２】
実施の形態３．
図４に示すガス遮断器の熱パッファ装置は、図１および図２に示す熱パッファ装置３２の熱パッファ室３１内に、アークガスの熱によって蒸発してパッファ室内の圧力を上昇させることのできる蒸気発生材料４６を備えている。蒸気発生材料４６は、図示の例では、熱パッファ室３１を形成するパッファピストン６の円筒壁６ｃの内周面に装着されたテトラフルオロエチレン等のアークガスにより蒸発しやすい材料の層として設けられている。蒸気発生材料４６の層は熱パッファ室３１の内部に設ければよいが、例えば逆止弁１９の作用等のその他の機能を妨げないような配慮が必要である。このような形態をとることにより、アークエネルギーにより加熱され熱パッファ室３１内に流入した熱ガス流により蒸気発生材料４６から蒸気を発生させることができる。この蒸気により熱パッファ室３１内の圧力が高められて吹き付けを強くなり、遮断性能の向上を図ることができるため、従来より小形の熱パッファ室で従来と同等の遮断性能を有することができ、従来よりも小形で低コストの遮断器を得ることができる。
【００３３】
【発明の効果】
以上の如く本発明のガス遮断器による効果は次の通りである。
（１）ガス遮断器は、絶縁媒体が充填された密閉タンクと、上記密閉タンク内に設けられた固定接触子と、上記固定接触子に離接する可動接触子と、上記可動接触子に設けられて、開離時に上記固定接触子との間に形成されるアーク領域に望むアークガス流路を有し、上記アーク領域に発生するアークガスを上記アークガス流路を通して受け入れ、蓄え、電流零点でアークに吹き付ける熱パッファ室を形成する熱パッファ装置と、上記熱パッファ装置に対して相対移動可能であって、上記熱パッファ装置に隣接して上記可動接触子の開閉動作に応じて容積が変化する機械パッファ室を形成する機械パッファ装置とを備え、上記熱パッファ装置の上記アークガス流路を通って上記熱パッファ室内に流入するアークガスを案内して上記熱パッファ室内の上記絶縁媒体と攪拌混合させるフローガイド装置を備えたものである。
【００３４】
（２）上記フローガイド装置は、上記熱パッファ装置の上記アークガス流路近傍で上記可動接触子に固着されて、上記可動接触子のアークコンタクトに沿って延びて、上記アークガス流路の内側表面を形成する滑らかな表面を持つ第１のフローガイドを備えたものでもよい。
【００３５】
（３）また、上記第１のフローガイドは、上記熱パッファ装置に設けられた絶縁ノズルと協働して上記アークガス流路を形成するように、上記滑らかな表面が、上記絶縁ノズルの内周面に対向して設けられたものでもよい。
【００３６】
（４）更に、上記フローガイド装置は、上記熱パッファ装置の上記熱パッファ室内に設けられ、上記アークガス流路から流入してきたアークガスを案内して上記熱パッファ室内で上記攪拌混合を促進させるフローガイドを備えたものでもよい。
【００３７】
このような構成により、ガス遮断器に於いては、アークエネルギーにより加熱され熱パッファ室に流入する熱ガス流の渦形成を促進させ、熱パッファ室内で攪拌・混合による冷却をすることにより、電流零点でアークに吹き付けられるガス流の温度が下がり、遮断性能の向上を図ることができる。
【００３８】
（５）上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記可動接触子上に設けられ、湾曲した断面を持つ環状の偏向板である第２のフローガイドであってもよい。
【００３９】
（６）また、上記熱パッファ装置は、上記可動接触子と、上記可動接触子に設けられて径方向に延びたピストン壁と、上記ピストン壁から軸方向に延びた円筒壁と、上記円筒壁から上記固定接触子に向かって延びた絶縁ノズルとを備え、上記ピストン壁近傍で上記円筒壁上に設けられ、湾曲した断面を持つ環状の偏向板である第３のフローガイドであってもよい。
【００４０】
このような構成により、熱パッファ室３１内に流入するアークガスを案内して熱パッファ室内の絶縁媒体と攪拌混合させるフローガイド装置を簡単な構造により提供できる。
【００４１】
（７）上記熱パッファ装置は上記ピストン壁に逆止弁を有し、上記偏向板は、上記逆止弁の最大許容行程以上の移動を制限する位置に設けられているので、逆止弁のストッパとして別の部品を設ける必要がなく、構造を簡単にできる。
【００４２】
（８）上記熱パッファ装置に設けられて、上記熱パッファ装置の上記熱パッファ室内で上記アークガスの流れに擾乱を発生させて、上記熱パッファ室内で上記攪拌混合を促進させる擾乱発生装置を備えたものであるので、アークエネルギーにより加熱され熱パッファ室に流入する熱ガス流の渦形成を促進させ、熱パッファ室内で攪拌・混合による冷却を効率良くすることができ、電流零点でアークに吹き付けられるガス流の温度を下げて、遮断性能の向上を図ることができる。
【００４３】
（９）上記熱パッファ装置に設けられて、上記熱パッファ装置の上記熱パッファ室内で上記アークガスの熱によって蒸発し、パッファ室内の圧力を上昇させる蒸気発生材料を備えたものであるので、アークエネルギーにより加熱され、熱パッファ室に流入する熱ガス流による蒸気により熱パッファ室内の圧力が上昇して吹き付けが強くなり、遮断性能の向上を図ることができる。
【図面の簡単な説明】
【図１】本発明のガス遮断器の実施の形態を閉極状態で示す概略断面図である。
【図２】本発明のガス遮断器の実施の形態を開極状態で示す概略断面図である。
【図３】本発明のガス遮断器の別の実施の形態を開極状態で示す概略断面図である。
【図４】本発明のガス遮断器の更に別の実施の形態を開極状態で示す概略断面図である。
【図５】従来のガス遮断器を閉極状態で示す概略断面図である。
【図６】従来のガス遮断器を開極状態で示す概略断面図である。
【符号の説明】
１　固定アークコンタクト、２　固定通電コンタクト、４　可動アークコンタクト、６ａ　ピストン壁、６ｃ　円筒壁、１７　逆止弁、２０　固定接触子、２１　可動接触子、３１　熱パッファ室、３２　熱パッファ装置、３３　アーク領域、３４　アークガス流路、３５　機械パッファ室、３６　機械パッファ装置、３９、４０、４３、４４　フローガイド装置、３９、４０　第１のフローガイド、４０　ノズル部材、４３　第２のフローガイド（偏向板）、４４　第３のフローガイド（偏向板）、４５　擾乱発生装置、４６　蒸気発生材料。
【図１】
2004039440.tif 000003
【図２】
2004039440.tif 000004
【図３】
2004039440.tif 000005
【図４】
2004039440.tif 000006
【図５】
2004039440.tif 000007
【図６】
2004039440.tif 000008